(57)【要約】【課題】トイレ用設備機器の下方が狭小スペースであっても、作業性を低下させることなく壁面にねじ止めして配置することができるトイレ用設備機器及びトイレ用設備機器の配置構造を提供すること。【解決手段】壁面１ｃに取り付けられるホルダー６と、前記ホルダー６に対してねじ止めされることにより壁面１ｃに取り付けられる設備機器本体３０と、を有するトイレ用設備機器３であって、ホルダー６は、設備機器本体３０の下面３０ｃに対して斜めに傾斜するように配置される固定片６４３を有し、設備機器本体３０は、固定片６４３の傾斜に沿う傾斜壁面３３２を下面３０ｃに有し、設備機器本体３０がホルダー６に装着されることにより傾斜壁面３３２に沿って配置される固定片６４３に、設備機器本体３０の下面３０ｃに対する斜め方向からねじが挿入されることにより、設備機器本体３０がホルダー６に固定される。【選択図】図６
2020002684.tif 000002
【特許請求の範囲】
【請求項１】
壁面に取り付けられるホルダーと、前記ホルダーに対してねじ止めされることにより前記壁面に取り付けられる設備機器本体と、を有するトイレ用設備機器であって、
前記ホルダーは、前記設備機器本体の下面に対して斜めに傾斜するように配置される固定片を有し、
前記設備機器本体は、前記固定片の傾斜に沿う傾斜壁面を前記下面に有し、
前記設備機器本体が前記ホルダーに装着されることにより前記傾斜壁面に沿って配置される前記固定片に、前記設備機器本体の前記下面に対する斜め方向からねじが挿入されることにより、前記設備機器本体が前記ホルダーに固定される、トイレ用設備機器。
【請求項２】
前記設備機器本体の前記下面は、前記固定片を収容する凹部を有し、
前記傾斜壁面は、前記凹部内の壁面により構成される、請求項１に記載のトイレ用設備機器。
【請求項３】
前記設備機器本体は、前記凹部を着脱可能に覆う蓋体を有する、請求項２に記載のトイレ用設備機器。
【請求項４】
壁面に、請求項１〜３のいずれか１項に記載のトイレ用設備機器からなる第１のトイレ用設備機器が配置されると共に、前記第１のトイレ用設備機器の下方の前記壁面に、前記第１のトイレ用設備機器に近接する第２のトイレ用設備機器が配置される、トイレ用設備機器の配置構造。
【発明の詳細な説明】
【技術分野】
【０００１】
本発明は、トイレ用設備機器及びトイレ用設備機器の配置構造に関する。
【背景技術】
【０００２】
トイレルームの壁面には、各種のトイレ用設備機器が配置されている。例えば、トイレ用設備機器として便器洗浄ボタンを有する壁リモコンが、トイレルームの壁面に取り付けられたホルダーに対して着脱自在に係止されることにより、壁面に壁リモコンを配置させることが知られている（例えば、特許文献１参照）。
【先行技術文献】
【特許文献】
【０００３】
【特許文献１】特開２００８−１３３５８６号公報
【発明の概要】
【発明が解決しようとする課題】
【０００４】
このような壁リモコン等のトイレ用設備機器がホルダーから容易に外れないようにするために、設備機器本体をホルダーに対してねじ止めする場合がある。この場合は、外観意匠性の向上のため、設備機器本体の下面側にねじを配置することにより、ねじが直接目視されにくくすることが望ましい。
【０００５】
図１０、図１１は、このようにトイレ用設備機器の下面でねじ止めされる取付け構造の一例を示している。ここでは、箱型の壁リモコン７００が、壁面（図示せず）に取り付けられたホルダー８００に対してねじ止めされるように構成される。
【０００６】
ホルダー８００は、平板状のホルダー本体８０１と、ホルダー本体８０１の四隅から壁リモコン７００に向けて前方に突出し、壁リモコン７００の背面に設けられた係止穴（図示せず）に対して係止される複数のフック状の係止突起８０２と、ホルダー本体８０１の下端部から前方に向けて突出し、壁リモコン７００の下面７００ａに対して平行に配置される固定片８０３と、を備えている。固定片８０３には、壁リモコン７００をねじ止めするためのねじ穴８０４が設けられている。
【０００７】
壁リモコン７００は、ホルダー８００の上方から係止突起８０２を壁リモコン７００の係止穴（図示せず）に係止させて装着される。壁リモコン７００の下面７００ａには、ホルダー８００の固定片８０３を収容する凹部７０１が設けられている。壁リモコン７００がホルダー８００に装着された時、固定片８０３は、凹部７０１内に収容されて凹部７０１内の底面に当接し、壁リモコン７００の下面７００ａと平行に配置される。この状態で、ねじｆ１０が、壁リモコン７００の下方からワッシャーｆ１１を介してねじ穴８０４に挿入される。その後、壁リモコン７００の下面７００ａに対して垂直方向からドライバーＴによってねじｆ１０が回転操作され、壁リモコン７００がねじｆ１０によってホルダー８００に固定される。
【０００８】
このようにトイレ用設備機器を固定するねじをドライバーにより回転操作する場合、ねじに対してトイレ用設備機器の垂直下方向からアプローチすることになるため、トイレ用設備機器の下方にはドライバーを垂直に挿入可能な程度の作業スペースが必要となる。しかし、トイレ用設備機器の下方に他の機器が配置される場合、トイレ用設備機器の下方に十分な作業スペースを確保できず、ねじの回転操作が困難となる。特に、公共トイレ操作系ＪＩＳ（JIS S 0026）では、便器洗浄ボタンは紙巻器の上方に設置され、両者の配置間隔にも制限が設けられるため、ねじ止めのための作業スペースは狭小スペースに制限され、ねじに対してドライバーでアプローチすることが困難又は不可能となる問題がある。
【０００９】
なお、ドライバー式のねじに代えて六角レンチ式のねじを使用することも考えられるが、六角レンチは回転操作のために必要な作業半径がドライバーに比べて大きく、作業性が低下してしまう。このため、作業性を低下させることなく、トイレ用設備機器の下面に配置させるねじを回転操作できるようにすることが要望されている。
【００１０】
そこで、本発明は、トイレ用設備機器の下方が狭小スペースであっても、作業性を低下させることなくねじ止めして壁面に配置することができるトイレ用設備機器及びトイレ用設備機器の配置構造を提供することを目的とする。
【課題を解決するための手段】
【００１１】
（１）  本発明に係るトイレ用設備機器は、壁面（例えば、後述の壁面１ｃ）に取り付けられるホルダー（例えば、後述のホルダー６）と、前記ホルダーに対してねじ止めされることにより前記壁面に取り付けられる設備機器本体（例えば、後述の設備機器本体３０）と、を有するトイレ用設備機器（例えば、後述の便器洗浄壁リモコン３、大型壁リモコン４）であって、前記ホルダーは、前記設備機器本体の下面（例えば、後述の下面３０ｃ）に対して斜めに傾斜するように配置される固定片（例えば、後述の固定片６４３、６５３）を有し、前記設備機器本体は、前記固定片の傾斜に沿う傾斜壁面（例えば、後述の傾斜壁面３３２、３６１）を前記下面に有し、前記設備機器本体が前記ホルダーに装着されることにより前記傾斜壁面に沿って配置される前記固定片に、前記設備機器本体の前記下面に対する斜め方向からねじ（例えば、後述のねじｆ３）が挿入されることにより、前記設備機器本体が前記ホルダーに固定される。
【００１２】
（２）  （１）に記載のトイレ用設備機器において、前記設備機器本体の前記下面は、前記固定片を収容する凹部（例えば、後述の凹部３３、３６）を有し、前記傾斜壁面は、前記凹部内の壁面により構成されることが好ましい。
【００１３】
（３）  （２）に記載のトイレ用設備機器において、前記設備機器本体は、前記凹部を着脱可能に覆う蓋体（例えば、後述の蓋体３９）を有することが好ましい。
【００１４】
（４）  本発明に係るトイレ用設備機器の配置構造は、壁面（例えば、後述の壁面１ｃ）に、（１）〜（３）のいずれかに記載のトイレ用設備機器からなる第１のトイレ用設備機器（例えば、後述の便器洗浄壁リモコン３、大型壁リモコン４）が配置されると共に、前記第１のトイレ用設備機器の下方の前記壁面に、前記第１のトイレ用設備機器に近接する第２のトイレ用設備機器（例えば、後述の紙巻器５）が配置される。
【発明の効果】
【００１５】
本発明によれば、トイレ用設備機器の下方が狭小スペースであっても、作業性を低下させることなくねじ止めして壁面に配置することができるトイレ用設備機器及びトイレ用設備機器の配置構造を提供することができる。
【図面の簡単な説明】
【００１６】
【図１】本発明に係るトイレ用設備機器の配置構造の一例を示すトイレルームの要部正面図である。
【図２】設備機器本体をホルダーに取り付ける様子を説明する説明図である。
【図３】ホルダーの要部を拡大して示す斜視図である。
【図４】設備機器本体の背面側の要部を拡大して示す斜視図である。
【図５】ホルダーに設備機器本体を装着した状態の背面側の要部を拡大して示す斜視図である。
【図６】設備機器本体をホルダーにねじ止めする様子を説明する正面図である。
【図７】他の実施形態に係るホルダーの要部を拡大して示す斜視図である。
【図８】設備機器本体を他の実施形態に係るホルダーにねじ止めする様子を説明する側面図である。
【図９】本発明の他の実施形態に係るトイレ用設備機器の設備機器本体の背面側の要部を拡大して示す斜視図である。
【図１０】従来のトイレ用設備機器をホルダーに取り付ける様子を説明する説明図である。
【図１１】従来のトイレ用設備機器をホルダーに取り付ける際の要部を拡大して示す説明図である。
【発明を実施するための形態】
【００１７】
以下、本発明の実施形態について図面を参照して説明する。
まず、図１を参照して、トイレ用設備機器の配置構造について説明する。図１は、本発明に係るトイレ用設備機器の配置構造の一例を示すトイレルームの要部正面図である。
トイレルーム１には、床面１ａ上に便器装置２が設置されている。便器装置２は、便器本体２１と、便座２２と、便蓋２３と、便座装置の機能部２４と、を備えている。便器装置２は、壁面１ｂに接するように配置されている。
【００１８】
図１における便器装置２の奥側（便座２２に着座した使用者から見た場合の右手側）の壁面１ｃには、各種のトイレ用設備機器が配置されている。本実施形態に示すトイレ用設備機器は、便器装置２の洗浄を遠隔操作する発電式の箱型の便器洗浄壁リモコン３と、便座装置を遠隔操作する発電式の箱型の大型壁リモコン４と、２連式の紙巻器５と、を備えている。
【００１９】
便器洗浄壁リモコン３と大型壁リモコン４とは、同一高さ（図１の上下方向に沿う高さ）を有し、床面１ａから同一の高さ位置の壁面１ｃに横並びに近接して配置されている。紙巻器５は、便器洗浄壁リモコン３及び大型壁リモコン４から下方に距離Ｄだけ離れた位置の壁面１ｃに配置されている。この距離Ｄは、特に限定されないが、一例を挙げれば４０ｍｍとすることができる。なお、これらのトイレ用設備機器のうちの便器洗浄壁リモコン３及び大型壁リモコン４は、本発明の第１のトイレ用設備機器に対応し、紙巻器５は、本発明の第２のトイレ用設備機器に対応する。
【００２０】
次に、第１のトイレ用設備機器の壁面１ｃへの取付け構造について、図２〜図６を参照して説明する。図２は、トイレ用設備機器の設備機器本体をホルダーに取り付ける様子を説明する説明図である。図３は、ホルダーの要部を拡大して示す斜視図である。図４は、設備機器本体の背面側の要部を拡大して示す斜視図である。図５は、ホルダーに設備機器本体を装着した状態の背面側の要部を拡大して示す斜視図である。図６は、設備機器本体をホルダーにねじ止めする様子を説明する正面図である。便器洗浄壁リモコン３と大型壁リモコン４の取付け構造は実質的に同一であるため、ここでは便器洗浄壁リモコン３の取付け構造について説明する。
【００２１】
便器洗浄壁リモコン３は、図２に示すように、直方体形状の縦長の箱型に形成されたリモコン本体（設備機器本体）３０と、壁面１ｃ（図２では図示せず）に取り付けられるホルダー６と、を有する。リモコン本体３０の前面３０ａには、１つの円形の洗浄ボタン３１が設けられている。リモコン本体３０の背面３０ｂの四隅近傍には、図２及び図４に示すように、縦長の矩形状の係止穴３２が設けられている。この便器洗浄壁リモコン３は、係止穴３２を利用して、リモコン本体３０を壁面１ｃ（図２では図示せず）に取り付けられたホルダー６に装着することにより、壁面１ｃに取り付けられる。
【００２２】
なお、本明細書において、トイレ用設備機器が取り付けられる壁面１ｃに対して遠ざかる方向を「前方」とし、トイレ用設備機器において、前方に配置される面を「前面」、その反対側の面（壁面１ｃに対向する面）を「背面」とする。また、床面１ａに対する鉛直方向に沿う上下の向きを「上」、「下」とし、トイレ用設備機器の前面を正視した際の観察者の右手側を「右」、左手側を「左」とする。
【００２３】
ホルダー６は、図２に示すように、リモコン本体３０の背面形状よりもやや小さい略矩形状に形成された平板状のホルダー本体６１を有する。本実施形態に示すホルダー６は金属板によって形成されるが、樹脂板によって形成されてもよい。ホルダー本体６１には、上下方向の中央部の左右両側に、長穴状のねじ穴６２がそれぞれ設けられている。ホルダー６は、ねじ穴６２にそれぞれ挿通されたねじｆ１によって壁面１ｃに固定される。
【００２４】
ホルダー本体６１の四隅近傍には、ホルダー本体６１から前方に向けて突出するように折り曲げ形成された４つの係止突起６３が設けられている。係止突起６３は、上方に向けてＬ型に屈曲したフック形状を呈している。係止突起６３は、リモコン本体３０の背面３０ｂに設けられた係止穴３２内に挿入された後、図２中の矢印で示すように、リモコン本体３０が押し下げられることにより、リモコン本体３０を係止する。
【００２５】
ホルダー本体６１には、ホルダー本体６１の下端部６１ａから前方に向けて突出するように折り曲げ形成された１つのリモコン固定部６４が設けられている。リモコン固定部６４は、図３に示すように、ホルダー本体６１の下端部６１ａの中央部から所定の幅を有して真っ直ぐ下方に延びる垂下片６４１と、垂下片６４１の下端から前方に向けて略直角に折り曲げ形成された突出片６４２と、突出片６４２の左右方向の一方側端から斜め下方に向けて折り曲げ形成された固定片６４３と、を有する。固定片６４３には、１つのねじ穴６４４が設けられている。
【００２６】
この固定片６４３は、リモコン本体３０の下面３０ｃに対して、ホルダー６を正視したときに、右横斜め下方に向けて傾斜するように配置されている。この固定片６４３の傾斜角度は、後述するねじｆ３によって便器洗浄壁リモコン３をホルダー６に固定する際のドライバーのアプローチ角度を規定する。具体的な傾斜角度は特に限定されないが、通常は水平面に対して斜め下方向に４５°程度の角度で傾斜していればよい。
【００２７】
一方、リモコン本体３０の背面３０ｂの下部には、図２及び図４に示すように、ホルダー６のリモコン固定部６４の突出片６４２及び固定片６４３を収容可能な凹部３３が、リモコン本体３０の背面３０ｂから下面３０ｃにかけて設けられている。本実施形態に示す凹部３３は、リモコン本体３０の背面３０ｂを正視した際に、下面３０ｃ側に向けて拡開するほぼ左右対称の台形状となるように形成されている。
【００２８】
具体的には、凹部３３は、リモコン本体３０の背面３０ｂを正視したときに、下面３０ｃに対して平行に配置される１つの天壁面３３１と、この天壁面３３１の左右両側から下面３０ｃにかけてほぼ左右対称に斜めに配置される２つの傾斜壁面３３２、３３３と、背面３０ｂに対して平行に配置される１つの側壁面３３４と、で構成されている。リモコン本体３０の背面３０ｂからの凹部３３の深さは、リモコン固定部６４のほぼ全体を収納可能とするため、ホルダー本体６１からのリモコン固定部６４の前方への突出量と同一又は僅かに大きく（深く）形成されている。
【００２９】
天壁面３３１は、リモコン固定部６４における突出片６４２の左右方向の幅と同一又は僅かに広い幅を有している。天壁面３３１は、リモコン本体３０がホルダー６の係止突起６３に係止させるために押し下げられた際に、図５に示すように、突出片６４２と当接し、リモコン本体３０のホルダー６に対する下端位置を規制する。
【００３０】
２つの傾斜壁面３３２、３３３のうち、リモコン固定部６４における固定片６４３に対応する傾斜壁面３３２は、固定片６４３の大きさと同じ又は僅かに大きな面積を有する。傾斜壁面３３２は、固定片６４３の傾斜に沿って傾斜するように形成されている。即ち、傾斜壁面３３２の天壁面３３１に対する傾斜角度は、固定片６４３の突出片６４２に対する傾斜角度と同一とされている。
【００３１】
リモコン本体３０の背面３０ｂには、図４に示すように、傾斜壁面３３２に近接して、ナット挿入溝３４が設けられている。ナット挿入溝３４は、ナットｆ２を背面３０ｂから挿入して収容可能な溝幅及び溝深さを有する。一方、傾斜壁面３３２には、ナット挿入溝３４と連通するスリット３５が形成されている。スリット３５は、背面３０ｂに向けて開放すると共に、背面３０ｂから側壁面３３４に向けてナット挿入溝３４の溝幅よりも僅かに小さな幅を有するＵ字状に形成されている。このスリット３５は、リモコン本体３０をホルダー６に固定する際に用いられる後述するねじｆ３の挿通穴として機能する。
【００３２】
ホルダー６の係止突起６３にリモコン本体３０が係止されて装着されると、図５に示すように、ホルダー６のリモコン固定部６４がリモコン本体３０の凹部３３に収容される。このとき、リモコン固定部６４の突出片６４２が、リモコン本体３０の凹部３３の天壁面３３１に当接すると共に、固定片６４３が傾斜壁面３３２に当接する。このとき、固定片６４３のねじ穴６４４は、ナット挿入溝３４に収容されたナットｆ２（図５では図示せず）に対応するように配置される。
【００３３】
その後、図６に示すように、固定片６４３のねじ穴６４４にねじｆ３を、ワッシャーｆ４を介して挿入し、スリット３５を経てナット挿入溝３４内のナットｆ２に螺合させる。このとき、ドライバーＴは、固定片６４３に対向する方向、即ち、リモコン本体３０の下面３０ｃに対する左横斜め下方向からアプローチすることができる。このため、図１に示すように、便器洗浄壁リモコン３の下方の壁面１ｃに紙巻器５が近接配置されていても、ドライバーＴは、紙巻器５と干渉することなく、ねじｆ３を回転操作することができる。
【００３４】
これにより、便器洗浄壁リモコン３がホルダー６を介して壁面１ｃに固定され、紙巻器５の上方の所定の高さに配置される。従って、この便器洗浄壁リモコン３及び便器洗浄壁リモコン３の配置構造によれば、便器洗浄壁リモコン３の下方が狭小スペースであっても、作業性を低下させることなく、ドライバーＴを用いて便器洗浄壁リモコン３をねじ止めすることが可能である。
【００３５】
なお、凹部３３の傾斜壁面３３３も傾斜壁面３３２と同一構成とし、更に傾斜壁面３３２側と同様のナット挿入溝及びスリットを設けてもよい。この場合、リモコン固定部６４にも、突出片６４２を挟んで両側端に左右対称に固定片６４３を設けることにより、便器洗浄壁リモコン３を壁面１ｃに取り付ける際、左右いずれの固定片６４３を利用してもねじｆ３を取り付けることができるようになる。従って、便器洗浄壁リモコン３の周囲の他のトイレ用設備機器の配置状況に応じて、ドライバーＴのアプローチ方向を左右で選択することができるため、作業性をより向上させることができる。
【００３６】
図７は、他の実施形態に係るホルダーの要部を拡大して示す斜視図である。また、図８は、トイレ用設備機器を他の実施形態に係るホルダーにねじ止めする様子を説明する側面図である。図１〜図６と同一符号の部位は同一構成の部位であるため、それらの詳細な説明は上記説明を援用し、以下の説明では省略する。
本実施形態に示すホルダー６には、上記リモコン固定部６４に代えてリモコン固定部６５を有する。このリモコン固定部６５は、図７に示すように、上記実施形態のリモコン固定部６４と同様の垂下片６５１、突出片６５２及び固定片６５３を有するが、固定片６５３は、突出片６５２の前方側の端部から前斜め上方に向けて傾斜するように折り曲げられて形成されている点で、リモコン固定部６４と異なっている。固定片６５３には、１つのねじ穴６５４が設けられている。従って、ねじｆ３は、図８に示すように、この固定片６５３に対して、便器洗浄壁リモコン３の前斜め下方からアプローチされるドライバーＴによって回転操作される。
【００３７】
この場合、リモコン本体３０の下面３０ｃには、図８に示す形状の凹部３６が設けられる。凹部３６は、背面３０ｂ側に、リモコン固定部６５の固定片６５３に沿うように配置される傾斜壁面３６１を有する。傾斜壁面３６１には、下面３ｃに開口するスリット３７が設けられている。また、傾斜壁面３６１よりも背面３ｂ側のリモコン本体３０の下面３０ｃには、ナット挿入溝３８が設けられ、ナットｆ２を収容している。
【００３８】
このようなリモコン本体３０及びホルダー６の構成を有する便器洗浄壁リモコン３によっても、ドライバーＴは、固定片６５３に対向する方向、即ち、リモコン本体３０の下面３０ｃに対する斜め前方向からアプローチすることができるため、便器洗浄壁リモコン３の下方の壁面１ｃに他のトイレ用設備機器が近接配置されていても、他のトイレ用設備機器と干渉することなく、ねじｆ３を回転操作することができ、上記実施形態と同様の効果が得られる。
【００３９】
図９は、便器洗浄壁リモコン３のリモコン本体３０の背面３０ｂ側の要部を拡大して示す斜視図である。図４と同一符号の部位は同一構成の部位であるため、それらの説明は図４の説明を援用し、ここでは省略する。
このリモコン本体３０は、凹部３３を着脱可能に覆う蓋体３９を有する。蓋体３９は、リモコン本体３０の下面３０ｃと面一状に凹部３３を下面３０ｃ側から覆う矩形状の蓋体本体３９１と、蓋体本体３９１の一端側に突出して設けられる係止片部３９２と、蓋体本体３９１の他端側に設けられる弾性爪部３９３と、を有する。この蓋体３９の構造は、電池蓋等として一般に良く知られたものである。
【００４０】
一方、リモコン本体３０の凹部３３は、一方の傾斜壁面３３２に、蓋体３９の係止片部３９２を挿入可能な係止穴３３２ａを有すると共に、他方の傾斜壁面３３３に、蓋体３９の弾性爪部３９３と係合する係合溝３３３ａを有する。
【００４１】
蓋体３９は、先ず、係止穴３３２ａに係止片部３９２を挿入した後、弾性爪部３９３を係合溝３３３ａに弾性的に係合させることにより、凹部３３に着脱可能に取り付けられる。これにより、凹部３３は、蓋体３９によって下面３０ｃと面一状に覆われ、外部から目隠しされる。従って、便器洗浄壁リモコン３の外観が更に良好になる。また、凹部３３が蓋体３９で覆われることにより、ホルダー６に固定された後の凹部３３内のねじｆ３と外気との接触が制限されるため、例えばトイレルーム１内の水分によってねじｆ３が腐食するおそれも低減される。
【００４２】
蓋体３９の弾性爪部３９３は、係合溝３３３ａに弾性的に係合しているだけであるため、リモコン本体３０をホルダー６から取り外すためにねじｆ３にアクセスする際は、指で弾性爪部３９３の係合状態を解除することにより、蓋体３９を容易に取り外すことが可能である。このような蓋体３９は、図７、図８に示した構造の便器洗浄壁リモコン３の凹部３６にも同様に設けることができる。
【００４３】
以上の各実施形態では、リモコン固定部６４、６５の固定片６４３、６５３に、ねじ穴６４４、６５４を設けるようにしたが、ねじ穴６４４、６５４に代えて、ねじを挿通可能な円弧上の切欠きを設けるようにしてもよい。
また、以上の各実施形態に示す便器洗浄壁リモコン３の構造は、大型壁リモコン４の構造にも同様に適用することができる。
【００４４】
以上の各実施形態では、トイレ用設備機器（第１のトイレ用設備機器）として便器洗浄壁リモコン３及び大型壁リモコン４を例示したが、これに限定されない。トイレ用設備機器（第１のトイレ用設備機器）は、トイレルーム内の壁面に配置され、ねじによって回転操作されることにより固定されるものであればよい。その他のトイレ用設備機器（第１のトイレ用設備機器）としては、例えば、呼出しボタン、擬音装置、信号受信ユニットが挙げられる。
また、第２のトイレ用設備機器も紙巻器５に限定されない。その他の第２のトイレ用設備機器としては、手摺、手洗器等を挙げることができる。
【００４５】
本発明に係るトイレ用設備機器が配置される壁面は、以上説明したトイレルーム１のような室内の壁面に限定されず、例えば、室内壁に取り付けられる棚を構成する壁面（棚の側壁面や背壁面）であってもよい。
【符号の説明】
【００４６】
１ｃ  壁面
３  便器洗浄壁リモコン（トイレ用設備機器、第１のトイレ用設備機器）
３０  リモコン本体（設備機器本体）
３０ｃ  （リモコン本体）下面
３３、３６  凹部
３３２、３６１  傾斜壁面
３９  蓋体
４  大型壁リモコン（トイレ用設備機器、第１のトイレ用設備機器）
５  紙巻器（第２のトイレ用設備機器）
６  ホルダー
６ａ  （ホルダー本体の）下端部
６１  ホルダー本体
６４３、６５３  固定片
ｆ３  ねじ
【図１】
2020002684.tif 000003
【図２】
2020002684.tif 000004
【図３】
2020002684.tif 000005
【図４】
2020002684.tif 000006
【図５】
2020002684.tif 000007
【図６】
2020002684.tif 000008
【図７】
2020002684.tif 000009
【図８】
2020002684.tif 000010
【図９】
2020002684.tif 000011
【図１０】
2020002684.tif 000012
【図１１】
2020002684.tif 000013